(57)【特許請求の範囲】
【請求項１】
中空の容器体１と、該容器体内に装着させた弾性に富む板バネ部材21とからなり、
上記容器体は、容器体後部の上端部に容器体内外を連通する押釦操作空間７を、又頂壁６前部に取出し孔８を、それぞれ穿設し、更に左右両側壁２、２の内面前後方向中間上部に係合板11、11を縦設し、
上記板バネ部材21は、底板部22の前後から前板部23と後板部24とを起立して、前板部上端から斜上前方へ摺動板25を突出して該摺動板上端に開閉板26を、かつ後板部上端に押釦27を、それぞれ付設して設け、
該板バネ部材を容器体１内へ、前板部23と後板部24とが容器体後壁５と係合板11、11との間へ、又押釦27は押釦操作空間７の上部内へ、それぞれ位置すると共に、前板部23上端部の左右両側は、係合板11、11の後面上端部に係合すると共に、開閉板26は取出し孔８下面を閉塞可能に内装させたことを特徴とする錠剤容器。
【請求項２】
容器体横断面形状および縦断面形状を、前後方向および上下方向へ長い長方形状に形成すると共に、容器体頂壁６の前部と前壁４の上部とを連続する弯曲壁９として、該弯曲壁前部に取出し孔８を穿設し、又該取出し孔後縁に近接する弯曲壁９後部から斜下後方へガイド板10を突出して、該ガイド板前面に摺動板25を摺動自在に当接させたことを特徴とする、請求項１記載の錠剤容器。
【発明の詳細な説明】
【０００１】
【発明の属する技術分野】
本発明は錠剤容器に関する。
【０００２】
【従来の技術】
一般に、螺合式のキャップ付きの壜内に錠剤を入れておき、キャップを螺脱して壜内錠剤を壜口部から取出し、該錠剤取出し後に再びキャップを壜口部に螺合することが行われている。
【０００３】
【発明が解決しようとする課題】
上記のようにキャップを壜口部から螺脱し、又螺合して錠剤を取出す場合は、錠剤取出しの都度、キャップを着脱する面倒があった。
本発明は、容器に設けた押釦の押下げにより取出し孔が開孔し、又押釦を離すと押釦を有する板バネ部材が弾性復帰して、該板バネ部材が有する開閉板が上記取出し孔を自動的に閉塞するよう設けたものである。
【０００４】
【課題を解決するための手段】
第１の手段として、
中空の容器体１と、該容器体内に装着させた弾性に富む板バネ部材21とからなり、
上記容器体は、容器体後部の上端部に容器体内外を連通する押釦操作空間７を、又頂壁６前部に取出し孔８を、それぞれ穿設し、更に左右両側壁２、２の内面前後方向中間上部に係合板11、11を縦設し、
上記板バネ部材21は、底板部22の前後から前板部23と後板部24とを起立して、前板部上端から斜上前方へ摺動板25を突出して該摺動板上端に開閉板26を、かつ後板部上端に押釦27を、それぞれ付設して設け、
該板バネ部材を容器体１内へ、前板部23と後板部24とが容器体後壁５と係合板11、11との間へ、又押釦27は押釦操作空間７の上部内へ、それぞれ位置すると共に、前板部23上端部の左右両側は、係合板11、11の後面上端部に係合すると共に、開閉板26は取出し孔８下面を閉塞可能に内装させた。
【０００５】
第２の手段として、上記第１の手段を有すると共に、
容器体横断面形状および縦断面形状を、前後方向および上下方向へ長い長方形状に形成すると共に、容器体頂壁６の前部と前壁４の上部とを連続する弯曲壁９として、該弯曲壁前部に取出し孔８を穿設し、又該取出し孔後縁に近接する弯曲壁９後部から斜下後方へガイド板10を突出して、該ガイド板前面に摺動板25を摺動自在に当接させた。
【０００６】
【発明の実施の形態】
以下図面について説明すると、１は横断面および縦断面を前後方向へ、又上下方向へ長い長方形状とした中空の容器体である。該容器体は、図３から理解出来るように左右側壁２、２の一方の周縁から底壁３と前後両壁４、５と頂壁６とを突出して本体部１ａとなし、他方側壁を蓋板１ｂとして、該蓋板から上記底壁、左右側壁および頂壁の各内面へ嵌合する嵌合板部２ａを突出して、本体部１ａに対する蓋板１ｂ嵌合により形成している。
【０００７】
該容器体は後部の上端部を、上面，左右側面および後面開放の押釦操作空間７に形成し、又頂壁６前部に錠剤取出し孔８を穿設している。但し図示例においては頂壁前部および前壁４の上部を連続する弯曲壁９で形成し、該弯壁曲前部に取出し孔８を穿設している。又その取出し孔後縁に近接する弯曲壁９後部からは、斜下後方へガイド板10を突出している。又左右両側壁２、２の前後方向中間部に係合板11、11を縦設し、これ等係合板上端と上記ガイド板10下部との間に、後述板バネ挿通用間隙を設けている。又図示例では既述押釦操作空間７下方の左右両側壁後方上部内面にガイド溝12、12を設けている。
【０００８】
上記容器体内へは、弾性に富む板バネ部材21を内装させる。該部材は、ほぼ同一横巾でＵ字形状に底板部22の前後から前板部23と後板部24とを起立して、前板部上端から斜上前方へ摺動板25を突出して該摺動板上端に開閉板26を、かつ後板部24上端に押釦27を、それぞれ付設して形成している。
【０００９】
該板バネ部材21は、図１が示すように、前板部23と後板部24とが、容器体後壁５と係合板11、11との間へ、又押釦27は押釦操作空間７の上部内へ、それぞれ位置させると共に、前板部23の左右両側を係合板11、11の後面上端部へ係合させ、摺動板25をガイド板10の前面へ係合させ、更に開閉板26はその外周部上面を取出し孔８の下面周縁部へ当接させて取出し孔を閉塞させる。
【００１０】
押釦27は、後板部24の上方延長部と該延長部上端から前方へ屈折した指当て部27ａと、該指当て板の左右両側から垂下し、後部を上記後板部の延長部へ連結させた側板部27ｂ、27ｂとで形成すればよい。指当て部27ａは後方延長した係合突部を有する。既述ガイド溝12、12を設けた場合は、押釦27上下動に際してそのガイド溝内を上下動して押釦をブレ止めする下側板27ｃ、27ｃを付設してもよい。
【００１１】
尚上記容器体１および板バネ部材21は、それぞれ合成樹脂材で形成し、板バネ部材21はその全体を一体成形している。
【００１２】
上記構成において押釦27を容器体１に対して押下げすると、前板部23上端の左右両側が係合板11、11の後面上端部に係合しているため、板バネ部材下降と共に摺動板25は係合板11、11上端面に対し斜下後方へ摺動下降することとなり、従って前板部23は図２が示すようにその上部を後方へ押され、底板部22、および前板部23、後板部24の下部が弾性に対して弯曲し乍ら下降することとなり、このようにして開閉板26も下降して取出し孔８が開く。該開孔状態で収納錠剤を取出した後、押釦27を離すと、上記弯曲部分が弾性復元することで、板バネ部材21が元の位置に復帰して再び開閉板26が取出し孔８を閉塞する。尚ガイド板10を設けておくことで、開閉板26を取出し孔閉塞位置へ確実に移動させることが出来る。
【００１３】
【発明の効果】
本発明は既述構成とするものであり、請求項１記載発明の場合は、中空の容器体１と板バネ部材21との二部材で形成できるから構造を簡易とすることが出来、又その取出し孔８開閉操作は押釦27の押下げと該押釦を離すだけで行うことが出来るから、極めて迅速かつ容易である。
【００１４】
請求項２記載発明の場合は、上記請求項１記載発明の効果を併せ有すると共に、容器体横断面形状および縦断面形状を前後方向および上下方向に長い長方形状とし、かつ頂壁６前部と前壁４上部とを弯曲壁９で連続させて、その弯曲壁前部に取出し孔８を穿設したから、その全体形状を携帯に便利な形状とすることが出来、又その取出し孔８の後縁に近接する弯曲壁９後部から斜下後方ガイド板10を突出して、該ガイド板前面に摺動板25を当接させたから、開閉板26を取出し孔８に位置合せすることが容易となり、容器成形の能率を向上させることが出来る。
【図面の簡単な説明】
【図１】  本発明容器の縦断面図である。
【図２】  容器の取出し孔開放状態で示す、容器の縦断面図である。
【図３】  容器の斜視図である。
【符号の説明】
１…容器体                      ７…押釦操作空間
８…取出し孔                    11…係合板
21…板バネ部材                  27…押釦
【図１】
0003687823.tif 000002
【図２】
0003687823.tif 000003
【図３】
0003687823.tif 000004